(57)【要約】【課題】多段積みされた電池ユニットを箱体外に取出さなくても目視でき、点検保守性の向上を図る。【解決手段】着脱自在の正面板と背面板を設けた箱体１と、箱体１の両側面に所定間隔で複数段設けられた側板１０ａ、１０ｂと、側板１０ａ、１０ｂ間に載置された複数個の電池セルを直並列接続した電池ユニット３と、各段に載置した電池ユニット３が接続されるとともに、箱体１の背面側に上下方向に設けられた垂直導体４と、を備えたことを特徴とする。【選択図】  図１
2013196909.tif 000002
【特許請求の範囲】
【請求項１】
箱体と、
前記箱体の両側面に所定間隔で複数段設けられた側板と、
前記側板間に載置された電池ユニットと、
前記電池ユニットが接続されるとともに、前記箱体の背面側に設けられた垂直導体と、
を備えたことを特徴とする電池ユニット盤。
【請求項２】
前記側板を断面Ｌ字状としたことを特徴とする請求項１に記載の電池ユニット盤。
【請求項３】
前記電池ユニットの両側面の中間部に固定板を設け、前記側板間に載置したことを特徴とする請求項１または請求項２に記載の電池ユニット盤。
【請求項４】
前記電池ユニットの両側上面に固定板を設け、前記側板間に載置したことを特徴とする請求項１または請求項２に記載の電池ユニット盤。
【請求項５】
前記側板の上面に低摩擦膜を設けたことを特徴とする請求項１乃至請求項４のいずれか１項に記載の電池ユニット盤。
【発明の詳細な説明】
【技術分野】
【０００１】
本発明の実施形態は、多段積みされる電池ユニット（電池モジュール）の点検保守性を向上し得る電池ユニット盤に関する。
【背景技術】
【０００２】
従来、電池ユニットを多段積みする電池ユニット盤においては、箱体の上下方向に複数枚の棚板を設け、これらの棚板に電池ユニットを並べ載置することが知られている（例えば、特許文献１参照。）。
【０００３】
この種の電池ユニット盤を図５に示すが、箱体１には、上下方向に複数枚の棚板２が所定間隔に設けられている。棚板２には、複数個の電池セルを直並列接続した電池ユニット３がそれぞれ載置されている。箱体１の背面側には、上下方向に垂直導体４が設けられ、各段の電池ユニット３がそれぞれボルト５接続されている。箱体１は架台６に固定され、正面側には着脱自在の正面板７、背面側にも着脱自在の背面板８がボルトなどで固定されている。
【０００４】
このような電池ユニット盤においては、点検保守時に正面板７、背面板８を取外し、電池ユニット３の変色、変形などの点検保守作業が行われる。電池ユニット３の上面では、容易に目視による点検が行えるものの、下面では、棚板２に載置されているので目視することができない。このため、電池ユニット３を垂直導体４から取外し、箱体１外に取出さなければならなかった。
【先行技術文献】
【特許文献】
【０００５】
【特許文献１】特開２０００−２０８１２１号公報
【発明の概要】
【発明が解決しようとする課題】
【０００６】
本発明が解決しようとする課題は、多段積みされた電池ユニット３を箱体１外に取出さなくても目視することができ、容易に点検保守を行うことのできる電池ユニット盤を提供することにある。
【課題を解決するための手段】
【０００７】
上記課題を解決するために、実施形態の電池ユニット盤は、箱体と、前記箱体の両側面に所定間隔で複数段設けられた側板と、前記側板間に載置された電池ユニットと、前記電池ユニットが接続されるとともに、前記箱体の背面側に設けられた垂直導体と、を備えたことを特徴とする。
【図面の簡単な説明】
【０００８】
【図１】本発明の実施例１に係る電池ユニット盤の構成を示す側面図。
【図２】本発明の実施例１に係る電池ユニット盤の構成を示す背面図。
【図３】本発明の実施例２に係る電池ユニット盤の構成を示す要部拡大断面図。
【図４】本発明の実施例３に係る電池ユニット盤の構成を示す要部拡大断面図。
【図５】従来の電池ユニット盤の構成を示す側面図。
【発明を実施するための形態】
【０００９】
以下、図面を参照して本発明の実施例を説明する。
【実施例１】
【００１０】
先ず、本発明の実施例１に係る電池ユニット盤を図１、図２を参照して説明する。図１は、本発明の実施例１に係る電池ユニット盤の構成を示す側面図、図２は、本発明の実施例１に係る電池ユニット盤の構成を示す背面図である。なお、従来と同様の構成部分は、同一符号を付した。
【００１１】
図１、図２に示すように、箱体１には、両側面に一対のＬ字状の側板１０ａ、１０ｂが上下方向に複数段設けられている。側板１０ａ、１０ｂ間には、複数個の電池セルを直並列接続した電池ユニット３の両側底面が載置されている。側板１０ａ、１０ｂの幅方向の間隙は、電池ユニット３の幅よりも僅かに狭く、脱落防止されている。上下方向の側板１０ａ、１０ｂ間は、電池ユニット３の高さよりも広く、所定の間隔を有している。箱体１の背面側には、上下方向に垂直導体４が設けられ、各段の電池ユニット３の端子がボルト５で接続されている。箱体１は架台６に固定され、正面側には着脱自在の正面板７、背面側にも着脱自在の背面板８がボルトなどで固定されている。
【００１２】
これにより、点検保守時には、正面板７、背面板８を取外すことで、それぞれの電池ユニット３の上面、下面を目視することができる。変色、変形などの点検項目では、専用の測定器やスケールなどで計測することもできる。上下方向の側板１０ａ、１０ｂ間隔を広げるほど目視が容易となるが、箱体１が高くなるので、この間隔は電池ユニット３高さの１．５〜２倍程度が好ましい。また、空気などの冷媒の流れがよくなり、放熱特性が向上する。
【００１３】
なお、電池ユニット３は、ボルト５を外し、正面側に引出すことで、箱体１外に取出すことができる。側板１０ａ、１０ｂは、断面板状でもよいが、断面Ｌ字状とすることにより、数１０ｋｇの電池ユニット３まで適用することができる。側板１０ａ、１０ｂの上面にフッ素樹脂系などの低摩擦膜を設けておけば取出し作業が容易となる。
【００１４】
上記実施例１の電池ユニット盤によれば、多段積みする電池ユニット３を箱体１の両側面に設けた一対の側板１０ａ、１０ｂに載置しているので、電池ユニット３の上面、下面を目視することができ、点検保守作業を容易とすることができる。
【実施例２】
【００１５】
次に、本発明の実施例２に係る電池ユニット盤を図３を参照して説明する。図３は、本発明の実施例２に係る電池ユニット盤の構成を示す要部拡大断面図である。図３において、実施例１と同様の構成部分においては、同一符号を付し、その詳細な説明を省略する。
【００１６】
図３に示すように、電池ユニット３の両側面には、高さ方向の中間部に板状の固定板１１ａ、１１ｂが設けられている。箱体１側には、側板１０ａ、１０ｂが設けられ、この間に固定板１１ａ、１１ｂが載置される。幅方向の側板１０ａ、１０ｂ間の間隙は、電池ユニット３の幅よりも僅かに広くなっている。
【００１７】
上記実施例２の電池ユニット盤によれば、実施例１による効果のほかに、電池ユニット３が側板１０ａ、１０ｂよりも下がり、下面の目視がより容易なものとなる。
【実施例３】
【００１８】
次に、本発明の実施例３に係る電池ユニット盤を図４を参照して説明する。図４は、本発明の実施例３に係る電池ユニット盤の構成を示す要部拡大断面図である。図４において、実施例２と同様の構成部分においては、同一符号を付し、その詳細な説明を省略する。
【００１９】
図４に示すように、電池ユニット３の両側面には、上面部に板状の固定板１１ａ、１１ｂが設けられている。箱体１側には、固定板１１ａ、１１ｂが載置される側板１０ａ、１０ｂが設けられている。電池ユニット３が吊下形となる。
【００２０】
上記実施例３の電池ユニット盤によれば、実施例２と同様の効果を得ることができる。
【００２１】
以上述べたような実施形態によれば、多段積みされた上段から下段までの電池ユニットの上面、下面を箱体の外部から目視することができ、点検保守性を向上させることができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体１
２  棚板
３  電池ユニット
４  垂直導体
５  ボルト
６  架台
７  正面板
８  背面板
１０ａ、１０ｂ  側板
１１ａ、１１ｂ  固定板
【図１】
2013196909.tif 000003
【図２】
2013196909.tif 000004
【図３】
2013196909.tif 000005
【図４】
2013196909.tif 000006
【図５】
2013196909.tif 000007